(57)【要約】【課題】受信する周波数帯の数よりも相対的に少ない発振器を用いて、受信する周波数帯の任意のチャネルを設定して同時受信すること。【解決手段】受信装置１００は、同一周波数帯の発振信号を生成する第１発振器１３１及び第２発振器１３２、発振信号を周波数変換する８分周器１３３、６分周器１３４、ミキサ１３５，１３６、及び２分周器１３９を備える。受信用アンテナ１１０は、複数の周波数帯のＲＦ信号を受信し、ＬＮＡ１１１により増幅して、ＲＦ回路１２１−１〜１２１−３に出力する。ＲＦ回路１２１−１〜１２１−３は、受信用アンテナ１１０からのＲＦ信号に無線信号処理をする。復調器１２２−１〜１２２−３は、発振回路側から供給された発振信号を基に、無線信号処理後のＲＦ信号をベースバンド周波数帯に周波数変換して復調する。スイッチ１４１〜１４６は、第１発振器１３１及び第２発振器１３２の発振信号の経路を切替える。【選択図】図１
2007150591.tif 000002
【特許請求の範囲】
【請求項１】
複数の周波数帯の信号を受信する受信手段と、
同一周波数帯の発振信号を生成する第１及び第２の発振器と、
前記第１及び第２の発振器により生成された発振信号の経路を切替える第１の切替手段と、
前記経路を通過する発振信号の周波数変換を行う周波数変換手段と、
前記第１及び第２の発振器により生成された発振信号又は前記周波数変換手段により周波数変換された信号を基に受信信号を復調する複数の復調器と、
を備える受信装置。
【請求項２】
前記第１及び第２の発振器は、同一特性を有する発振器である請求項１記載の受信装置。
【請求項３】
前記経路は、前記周波数変換手段をバイパスするバイパス経路を含む複数の経路である請求項１記載の受信装置。
【請求項４】
前記周波数変換手段は、
前記第１及び／又は第２の発振器により生成された発振信号を分周する第１の分周手段と、
前記第１の分周手段の出力信号と前記発振信号をミキシングするミキサと、
を備える請求項１記載の受信装置。
【請求項５】
前記周波数変換手段により周波数変換された信号の帯域を制限するフィルタをさらに備える請求項４記載の受信装置。
【請求項６】
前記周波数変換手段は、前記フィルタにより帯域制限された信号を分周する第２の分周手段をさらに備える請求項５記載の受信装置。
【請求項７】
前記第１及び／又は第２の分周手段は、任意に分周比を設定する可変分周器である請求項６記載の受信装置。
【請求項８】
前記復調器に接続される前記経路の組み合わせを変える第２の切替手段をさらに備える請求項１記載の受信装置。
【請求項９】
複数の周波数帯の信号を受信するステップと、
同一周波数帯の２つの発振信号を生成するステップと、
前記２つの発振信号の経路を切替えるステップと、
前記経路を通過する発振信号の周波数変換を行うステップと、
前記２つの発振信号又は前記周波数変換手段により周波数変換された信号を基に受信信号を復調するステップと、
を有する受信方法。
【発明の詳細な説明】
【技術分野】
【０００１】
本発明は、複数の周波数帯の通信信号を受信する受信装置及び受信方法に関し、特に、ＷＣＤＭＡ方式に代表される通信方式を採用した移動無線機に使用される受信装置及び受信方法に関する。
【背景技術】
【０００２】
近年、無線通信技術の発達により、広範囲の周波数帯を用いて無線通信が行われており、複数のアンテナから送信された異なる周波数帯の通信信号を同時に受信する技術が必要になっている。
【０００３】
従来、受信装置として、複数の周波数帯の通信信号を受信する機能を有するものがあり、例えば、特許文献１に記載されているものがある。
【０００４】
特許文献１には、２組の独立した受信に必要な信号系回路及び周波数選択のための局部発振回路をそれぞれ設けて、２つの周波数帯の通信信号を同時に受信する受信装置が開示されている。
【０００５】
図６は、特許文献１に記載されている受信装置の構成を示す図である。
【０００６】
図６において、受信装置１０は、２つの周波数帯の受信部として、２組の独立したＲＦ（Radio Frequency）回路１１ａ，１１ｂ、ミキサ１２ａ，１２ｂ、局部発振器１３ａ，１３ｂ、ＩＦ（Intermediate Frequency）回路１４ａ，１４ｂ、検波回路１５ａ，１５ｂ及び低周波回路１６ａ，１６ｂをそれぞれ設けて、２つの異なる周波数帯の通信信号を同時に受信する。
【０００７】
複数の周波数帯の受信動作を、余分な発振器を追加することなく可能とする例としては、例えば、特許文献２に記載されているものがある。
【０００８】
特許文献２には、１つの局部発振器からの発振信号の発振周波数を、分周手段をバイパスして周波数変換することにより、異なる周波数帯の通信信号を復調する送受信器が開示されている。
【０００９】
図７は、特許文献２に記載されている送受信器の構成を示す図である。
【００１０】
図７において、受信装置２０は、局部発振器２１からの発振信号の発振周波数を、直接受信回路２５に入力するとともに、分周手段２２、分周手段２３及びスイッチ２４を用いて周波数変換して、受信回路２５へ出力する。分周手段２２及び分周手段２３は、カウンタ、フリップフロップ、２分周器又は３分周器を含む。スイッチ２４は、分周手段２２をバイパスすることにより、局部発振器２１から発せられる発振信号を、直接受信回路２５に入力し、分周手段２２及び分周手段２３で周波数変換して受信回路２５に入力し、又は、分周手段２３で周波数変換して受信回路２５に入力することにより、３つの異なる周波数帯の通信信号を復調する。
【特許文献１】実開平３−６３３８号公報
【特許文献２】特表２００１−５０８２７２号公報
【発明の開示】
【発明が解決しようとする課題】
【００１１】
しかしながら、特許文献１記載の受信装置にあっては、２つの周波数帯の同時受信を行うためには、２組の独立した受信に必要な信号系回路と、周波数選択のための局部発振回路とを必要とするため、回路の規模及び消費電力が増大するという問題がある。特に、今後、３つ以上の周波数帯の同時受信を行う必要が生じた場合には、受信しようとする周波数帯の数に応じた信号系回路と、局部発振回路とが必要になるため、回路の規模及び消費電力がさらに増大するという問題がある。また、高周波数帯の通信信号を受信する際には、発振周波数が異なる発振器の特性バラツキが非常に大きくなり、受信品質が低下するという問題がある。
【００１２】
また、特許文献２記載の送受信器にあっては、発振信号の発振周波数の周波数変換後の各信号の周波数間隔比は、常に一定であり、任意のチャネルを設定することができないという問題がある。すなわち、２つの周波数帯の同時受信を行う場合において、１つの局部発振器２１を用いているため、局部発振器２１からの発振信号の周波数帯と、それを分周手段により分周した発振信号の周波数帯しか取り出すことができないという問題がある。また、周波数変換に用いる分周手段２２、分周手段２３及びスイッチ２４の切替えに一定の時間を要するため、厳密な意味での同時受信をすることができないという問題がある。
【００１３】
このように、従来の受信装置にあっては、複数の周波数帯の同時受信を行うためには、原則として、受信しようとする周波数帯と同数の局部発振器が必要であり、受信しようとする周波数帯よりも少ない数の局部発振器を用いて同時受信を行う場合には、上記のように、任意のチャネル設定が困難であり、複数の周波数帯の連続的な受信ができないという問題があった。
【００１４】
本発明は、かかる点に鑑みてなされたものであり、受信する周波数帯の数よりも相対的に少ない発振器を用いて、複数の異なる周波数帯の同時受信を好適に行うことができる受信装置及び受信方法を提供することを目的とする。
【課題を解決するための手段】
【００１５】
本発明の受信装置は、複数の周波数帯の信号を受信する受信手段と、同一周波数帯の発振信号を生成する第１及び第２の発振器と、前記第１及び第２の発振器により生成された発振信号の経路を切替える第１の切替手段と、前記経路を通過する発振信号の周波数変換を行う周波数変換手段と、前記第１及び第２の発振器により生成された発振信号又は前記周波数変換手段により周波数変換された信号を基に受信信号を復調する複数の復調器と、を備える構成を採る。
【００１６】
本発明の受信方法は、複数の周波数帯の信号を受信するステップと、同一周波数帯の２つの発振信号を生成するステップと、前記２つの発振信号の経路を切替えるステップと、前記経路を通過する発振信号の周波数変換を行うステップと、前記２つの発振信号又は前記周波数変換手段により周波数変換された信号を基に受信信号を復調するステップと、を有する。
【発明の効果】
【００１７】
本発明によれば、同時に受信可能な周波数帯の数よりも相対的に少ない発振器を用いた回路で、複数の異なる周波数帯の同時受信を実現することができ、受信する各周波数帯のチャネルを任意に選択して設定することができる。また、発振器の特性バラツキによる受信品質の低下を抑制することができる。
【発明を実施するための最良の形態】
【００１８】
以下、本発明の実施の形態について、図面を参照して詳細に説明する。
【００１９】
（実施の形態１）
図１は、本発明の実施の形態１に係る受信装置の構成の一例を示す図である。本実施の形態に係る受信装置は、ＷＣＤＭＡ（Wideband Code Division Multiple Access）方式の移動無線機の受信機に適用した例である。
【００２０】
図１において、受信装置１００は、受信用アンテナ１１０、低雑音増幅器（ＬＮＡ）１１１、復調回路１２０、第１発振器１３１、第２発振器１３２、８分周器１３３、６分周器１３４、ミキサ１３５，１３６、フィルタ１３７，１３８、２分周器１３９及びスイッチ１４１〜１４６を備えて構成される。
【００２１】
復調回路１２０は、ＲＦ回路１２１−１〜１２１−３及び復調器１２２−１〜１２２−３からなり、復調器１２２−１〜１２２−３は、２分周器１２３−１〜１２３−３、ミキサ１２４−１〜１２４−３及びミキサ１２５−１〜１２５−３を備えて構成される。
【００２２】
受信用アンテナ１１０は、複数の周波数帯のＲＦ信号を受信し、ＬＮＡ１１１により増幅して、ＲＦ回路１２１−１〜１２１−３にそれぞれ出力する。
【００２３】
ＲＦ回路１２１−１は、受信用アンテナ１１０からのＲＦ信号にＡＧＣ（Automatic Gain Control）等の無線信号処理をして、ミキサ１２４−１及びミキサ１２５−１にそれぞれ出力する。同様に、ＲＦ回路１２１−２は、受信用アンテナ１１０からのＲＦ信号に無線信号処理をして、ミキサ１２４−２及びミキサ１２５−２にそれぞれ出力し、ＲＦ回路１２１−３は、受信用アンテナ１１０からのＲＦ信号に無線信号処理をして、ミキサ１２４−３及びミキサ１２５−３にそれぞれ出力する。
【００２４】
復調器１２２−１〜１２２−３は、それぞれ、発振回路側から供給された発振信号を基に、無線信号処理後のＲＦ信号をベースバンド周波数帯に周波数変換して復調する。
【００２５】
すなわち、受信用アンテナ１１０で受信されたＲＦ信号は、ＬＮＡ１１１で増幅され、ＲＦ回路１２１−１〜１２１−３で無線信号処理されてから、ミキサ１２４−１〜１２４−３及び１２５−１〜１２５−３に入力する。ミキサ１２４−１及びミキサ１２５−１は、ＲＦ回路１２１−１からのＲＦ信号と、第１発振器１３１から供給される発振信号を２分周器１２３−１により２分周した信号とを乗算することで、第１ベースバンド周波数帯に周波数変換する。同様に、ミキサ１２４−２及びミキサ１２５−２は、ＲＦ回路１２１−２からのＲＦ信号と、フィルタ１３７から供給される信号を２分周器１２３−２により２分周した信号とを乗算することで、第２ベースバンド周波数帯に周波数変換する。同様に、ミキサ１２４−３及びミキサ１２５−３は、ＲＦ回路１２１−３からのＲＦ信号と、２分周器１３９から供給される信号を２分周器１２３−３により２分周した信号とを乗算することで、第３ベースバンド周波数帯に周波数変換する。
【００２６】
第１発振器１３１及び第２発振器１３２は、同一周波数帯の発振信号を生成する。また、第１発振器１３１及と第２発振器１３２とは、その構成及び特性、例えば、周波数安定度や周波数精度においても同一であることが好ましい。すなわち、同一の工程で作製した基板やトランジスタ等の部材により、これらの発振器を構成することが好ましい。
【００２７】
８分周器１３３、６分周器１３４、ミキサ１３５，１３６、及び２分周器１３９は、第１発振器１３１又は第２発振器１３２から供給される発振信号の周波数変換を行う。
【００２８】
図１では、８分周器１３３は、第１発振器１３１又は第２発振器１３２から供給される発振信号を８分周し、ミキサ１３５は、第１発振器１３１又は第２発振器１３２から供給される発振信号と、８分周器１３３で８分周された信号とをミキシングすることで、第１発振器１３１又は第２発振器１３２から供給される発振信号を周波数変換する。また、６分周器１３４は、第１発振器１３１又は第２発振器１３２から供給される発振信号を６分周し、ミキサ１３６は、第１発振器１３１又は第２発振器１３２から供給される発振信号と、６分周器１３４で６分周された信号とをミキシングすることで、第１発振器１３１又は第２発振器１３２から供給される発振信号を周波数変換する。さらに、２分周器１３９は、フィルタ１３８からの信号を２分周することで、６分周器１３４及びミキサ１３６により周波数変換された発振信号をさらに周波数変換する。
【００２９】
フィルタ１３７及びフィルタ１３８は、周波数変換された信号の帯域を制限する。
【００３０】
スイッチ１４１〜スイッチ１４６は、それぞれ、制御部（図示せず）によりオン／オフ制御され、オン／オフの組み合わせによって第１発振器１３１及び第２発振器１３２の発振信号の経路１５１〜１５３を切替える。
【００３１】
例えば、第１発振器１３１の発振信号は、復調器１２２−１への経路１５１に供給され、スイッチ１４１がオン状態のときには、復調器１２２−２への経路１５２にも供給され、さらに、スイッチ１４２がオン状態のときには、復調器１２２−３への経路１５３にも供給される。同様に、第２発振器１３２の発振信号は、スイッチ１４３がオン状態のときには、復調器１２２−３への経路１５３に供給され、さらに、スイッチ１４２がオン状態のときには、復調器１２２−２への経路１５２にも供給される。スイッチ１４４〜１４６がオフ状態のときには、復調器１２２−１〜１２２−３に供給される発振信号の経路１５１〜１５３が、それぞれ遮断される。
【００３２】
以下、上述のように構成された受信装置１００の動作について詳細に説明する。
【００３３】
第１発振器１３１及び第２発振器１３２では、それぞれ、同一周波数帯ｆの発振信号を生成する。ここで、この発振信号を基に復調できるＲＦ信号の周波数帯をｆ１とする。第１発振器１３１で生成された発振信号は、復調器１２２−１、８分周器１３３及びミキサ１３５にそれぞれ出力される。一方、第２発振器１３２で生成された発振信号は、６分周器１３４及びミキサ１３６にそれぞれ出力される。
【００３４】
第１発振器１３１で生成された発振信号は、８分周器１３３及びミキサ１３５で周波数変換され、フィルタ１３７で帯域制限されて、復調器１２２−２に出力される。この例では、周波数変換は、ミキサ１３５で、第１発振器１３１から供給された発振信号と、この発振信号を８分周器１３３により８分周した信号とをミキシングすることにより行われる。ここでは、周波数変換された発振信号の周波数は、ｆ−（１／８）ｆで計算され、（７／８）ｆとなる。この周波数変換された発振信号を基に復調できるＲＦ信号の周波数帯をｆ２とする。
【００３５】
第２発振器１３２で生成された発振信号は、６分周器１３４及びミキサ１３６で周波数変換され、フィルタ１３８で帯域制限され、２分周器１３９でさらに周波数変換されて、復調器１２２−３に出力される。この例では、周波数変換は、２つの段階で行われる。すなわち、第２発振器１３２から供給された発振信号は、まず、ミキサ１３６で、第２発振器１３２から供給された発振信号と、この発振信号を６分周器１３４により６分周した信号とをミキシングすることにより、周波数変換される。次いで、この周波数変換された発振信号は、フィルタ１３８で帯域制限され、２分周器１３９で、２分周することにより周波数変換される。ここでは、周波数変換された発振信号の周波数は、（ｆ−（１／６）ｆ）／２で計算され、（５／１２）ｆとなる。この周波数変換された発振信号を基に復調できるＲＦ信号の周波数帯をｆ３とする。
【００３６】
一方、受信用アンテナ１１０では、複数の周波数帯のＲＦ信号を受信する。受信されたＲＦ信号は、ＬＮＡ１１１で増幅されて、ＲＦ回路１２１−１〜１２１−３にそれぞれ出力される。
【００３７】
ＲＦ回路１２１−１〜１２１−３では、それぞれ、受信用アンテナ１１０からのＲＦ信号に無線信号処理をする。ＲＦ回路１２１−１で無線信号処理された信号は、ミキサ１２４−１及びミキサ１２５−１に出力される。同様に、ＲＦ回路１２１−２で無線信号処理された信号は、ミキサ１２４−２及びミキサ１２５−２に出力され、ＲＦ回路１２１−３で無線信号処理された信号は、ミキサ１２４−３及びミキサ１２５−３に出力される。
【００３８】
復調器１２２−１〜１２２−３では、それぞれ、発振回路側から供給された発振信号を基に、無線信号処理後のＲＦ信号をベースバンド周波数帯に周波数変換して復調する。
【００３９】
復調器１２２−１における復調は、具体的には、ミキサ１２４−１及びミキサ１２５−１で、ＲＦ回路１２１−１からのＲＦ信号と、第１発振器１３１から供給される発振信号を２分周器１２３−１により２分周した信号とを乗算して、第１ベースバンド周波数帯に周波数変換することにより行われる。同様に、復調器１２２−２における復調は、ミキサ１２４−２及びミキサ１２５−２で、ＲＦ回路１２１−２からのＲＦ信号と、フィルタ１３７からの信号を２分周器１２３−２により２分周した信号とを乗算して、第２ベースバンド周波数帯に周波数変換することにより行われ、復調器１２２−３における復調は、ミキサ１２４−３及びミキサ１２５−３で、ＲＦ回路１２１−３からのＲＦ信号と、２分周器１３９からの信号を２分周器１２３−３により２分周した信号とを乗算して、第３ベースバンド周波数帯に周波数変換することにより行われる。
【００４０】
ここで、発振回路側から復調器１２２−１〜１２２−３に供給される発振信号の周波数はそれぞれ異なるため（本実施の形態においてはｆ、（７／８）ｆ、（５／１２）ｆ）、各復調器において、それぞれ異なる周波数帯（ｆ１、ｆ２、ｆ３）のＲＦ信号を復調することができる。
【００４１】
次に、スイッチ１４１〜１４６を用いた第１発振器１３１及び第２発振器１３２の発振信号の経路の切替について、図２を用いて説明する。
【００４２】
図２は、本実施の形態のスイッチを用いた発振信号の経路の切替の一例を示す図である。
【００４３】
上記の説明は、スイッチ１４１：オン、スイッチ１４２：オフ、スイッチ１４３：オンの状態における受信装置１００の動作である。ここで、例えば、スイッチ１４１：オフ、スイッチ１４２：オン、スイッチ１４３：オンの状態とすることにより、第１発振器１３１及び第２発振器１３２の発振信号の経路１５１〜１５３を切替えることができる。
【００４４】
この例においては、第１発振器１３１の発振信号が復調器１２２−１への経路１５１に出力され、第２発振器１３２の発振信号が復調器１２２−２への経路１５２及び復調器１２２−３への経路１５３に出力されるように、第１発振器１３１及び第２発振器１３２の発振信号の経路が切替えられる。
【００４５】
また、スイッチ１４１：オフ、スイッチ１４２：オフ、スイッチ１４３：オンの状態とすることにより、第１発振器１３１の発振信号が復調器１２２−１への経路１５１に出力され、第２発振器１３２の発振信号が復調器１２２−３への経路１５３に出力されるように、第１発振器１３１及び第２発振器１３２の発振信号の経路が切替えられる。
【００４６】
さらに、スイッチ１４１：オフ、スイッチ１４２：オフ、スイッチ１４３：オフの状態とすることにより、第１発振器１３１の発振信号が復調器１２２−１への経路１５１に出力され、第２発振器１３２の発振信号がいずれの復調器への経路１５１〜１５３にも出力されないように、第１発振器１３１及び第２発振器１３２の発振信号の経路が切替えられる。
【００４７】
また、スイッチ１４４〜１４６をそれぞれオフ状態とすることにより、復調器１２２−１〜１２２−３に供給される発振信号の経路１５１〜１５３が、それぞれ遮断される。
【００４８】
上記の説明は、発振信号の経路の切替を示す一例であり、図２に示すように、スイッチ１４１〜スイッチ１４６のオンオフ状態を制御することにより、多様な発振信号の経路の切替えが実現可能である。
【００４９】
なお、本実施の形態におけるスイッチ１４１〜１４６は、必ずしも図１の位置に設ける必要はない。すなわち、第１発振器１３１及び第２発振器１３２の発振信号の経路を切替える機能を有していれば、どのような位置にいくつのスイッチを設けてもよい。
【００５０】
次に、分周比の小さい分周器を組み合わせた発振信号の周波数変換のバリエーションについて、図３を用いて説明する。
【００５１】
図３は、本実施の形態の６分周器を２分周器と３分周器との組み合わせにより実現した例を示す図である。
【００５２】
本実施の形態では、分周器として、８分周器１３３、６分周器１３４及び２分周器１３９を用いたが、本発明はこれに限定されない。
【００５３】
例えば、図３に示すように、６分周器１３４に代えて２分周器１６０及び３分周器１６１を設け、これらを通過する発振信号の経路を、スイッチ１４７及びスイッチ１４８によりバイパスして切替えるようにしてもよい。
【００５４】
このような構成によれば、ミキサ１３６に入力する信号の周波数を、ｆ、（１／２）ｆ、（１／３）ｆ、又は（１／６）ｆとすることができ、発振信号の周波数変換のバリエーションを、さらに拡張することができる。
【００５５】
以上のように、復調するＲＦ信号の周波数帯ｆ１〜ｆ３に応じて、スイッチ１４１〜１４６のオンオフ状態を制御し、第１発振器１３１及び第２発振器１３２の発振信号の経路を切替えることができる。
【００５６】
ここで、本実施例において、第１発振器１３１及び第２発振器１３２で生成された発振信号の周波数帯が、４２００ＭＨｚであるとする。このとき、復調器１２２−１〜１２２−３に入力する信号の周波数は、それぞれ、４２００ＭＨｚ、３６７５ＭＨｚ、１７５０ＭＨｚである。従って、復調器１２２−１〜１２２−３では、それぞれ、２１００ＭＨｚ、１８３７.５ＭＨｚ、８７５ＭＨｚ帯のＲＦ信号を復調することができる。
【００５７】
これらの周波数は、ＷＣＤＭＡ方式において使用される周波数帯である２ＧＨｚ帯、１.７ＧＨｚ帯、８００ＭＨｚ帯に対応しており、ＷＣＤＭＡ方式において信号を復調する場合において、好適なものである。
【００５８】
このように、本実施の形態によれば、同一周波数帯の発振信号を生成する２つの発振器により生成された発振信号の経路をそれぞれ切替え、各経路を通過する発振信号を周波数変換した発振信号を基に受信信号を復調するため、複数の異なる周波数帯の同時受信を実現することができ、受信する各周波数帯のチャネルを任意に選択して設定することができる。また、使用する発振器は、それぞれ、同一周波数帯の発振信号を生成するため、発振器の特性バラツキによる受信品質の低下を抑制することができる。
【００５９】
（実施の形態２）
図４は、本発明の実施の形態２に係る受信装置の構成の一例を示す図である。実施の形態１に係る受信装置と同じ構成要素については同一の符号を付し、その説明を省略する。
【００６０】
図４において、受信装置２００は、図１の受信装置１００の構成において、スイッチ２０１をさらに備え、８分周器１３３、６分周器１３４及び２分周器１３９に代えてＮ分周器２０２、Ｍ分周器２０３及びＫ分周器２０４を備えている。
【００６１】
スイッチ２０１は、制御部（図示せず）によりオン／オフ制御され、Ｋ分周器２０４をバイパスすることにより、フィルタ１３８からの信号をＫ分周器２０４で分周するか否かを切替える。これにより、復調器１２２−３への経路１５３に供給される発振信号の周波数帯をさらに切替える。
【００６２】
Ｎ分周器２０２、Ｍ分周器２０３及びＫ分周器２０４は、その分周比を、適宜、切替えることができる可変分周器である。分周比は、制御部からの制御信号により切替が可能である。
【００６３】
図４では、Ｎ分周器２０２は、第１発振器１３１又は第２発振器１３２から供給される発振信号をＮ（Ｎ：正の整数）分周して、ミキサ１３５に出力する。
【００６４】
また、Ｍ分周器２０３は、第１発振器１３１又は第２発振器１３２から供給される発振信号をＭ（Ｍ：正の整数）分周して、ミキサ１３６に出力する。
【００６５】
また、Ｋ分周器２０４は、スイッチ２０１がオフ状態のときに限り、フィルタ１３８からの信号をＫ（Ｋ：正の整数）分周して、復調器１２２−３に出力する。
【００６６】
以下、上記のように構成された受信装置２００の動作について詳細に説明する。
【００６７】
本実施の形態では、発振側回路で用いる分周器を可変分周器として、その分周比を変更することにより、復調器１２２−１〜１２２−３への経路１５１〜１５３に供給される発振信号の周波数帯を変化させる。すなわち、各復調器で、受信したＲＦ信号を復調する周波数帯を、適宜、変化させることができる。
【００６８】
また、経路１５３に供給される発振信号の周波数変換は、Ｋ分周器２０４をバイパスするスイッチ２０１を、制御部（図示せず）によりオン／オフ制御することによっても実現することができる。
【００６９】
第１発振器１３１及び第２発振器１３２では、それぞれ、同一周波数帯ｆの発振信号を生成する。第１発振器１３１で生成された発振信号は、復調器１２２−１、Ｎ分周器２０２及びミキサ１３５にそれぞれ出力される。一方、第２発振器１３２で生成された発振信号は、Ｍ分周器２０３及びミキサ１３６にそれぞれ出力される。
【００７０】
第１発振器１３１で生成された発振信号は、Ｎ分周器２０２及びミキサ１３５で周波数変換され、フィルタ１３７で帯域制限されて、復調器１２２−２に出力される。この例では、周波数変換は、ミキサ１３５で、第１発振器から供給された発振信号と、この発振信号をＮ分周器２０２によりＮ分周した信号とをミキシングすることにより行われる。ここでは、周波数変換された発振信号の周波数は、ｆ−（１／Ｎ）ｆで計算され、（（Ｎ−１）／Ｎ）ｆとなる。
【００７１】
一方、第２発振器１３２で生成された発振信号は、スイッチ２０１がオン状態のときには、Ｍ分周器２０３及びミキサ１３６で周波数変換され、フィルタ１３８で帯域制限されて、復調器１２２−３に出力される。この例では、周波数変換は、ミキサ１３６で、第２発振器１３２から供給された発振信号と、この発振信号をＭ分周器２０３によりＭ分周した信号とをミキシングすることにより行われる。ここでは、周波数変換された発振信号の周波数は、ｆ−（１／Ｍ）ｆで計算され、（（Ｍ−１）／Ｍ）ｆとなる。
【００７２】
また、スイッチ２０１がオフのときには、Ｍ分周器２０３及びミキサ１３５で周波数変換され、フィルタ１３８で帯域制限された発振信号は、Ｋ分周器２０４でＫ分周することによりさらに周波数変換される。ここでは、周波数変換された発振信号の周波数は、（（Ｍ−１）／ＫＭ）ｆとなる。
【００７３】
このように、本実施の形態では、実施の形態１の効果に加えて、各経路を通過する発振信号を周波数変換するための分周器を可変分周器としたので、受信する信号の周波数帯が変化した場合にあっても、可変分周器の分周比を変えることによって、復調可能なＲＦ信号の周波数帯を任意に設定することができる。したがって、１つの受信装置で様々な移動無線機システムに対応できるため、設計効率を向上させることができ、製造コストを低減させることができる。
【００７４】
（実施の形態３）
図５は、本発明の実施の形態３に係る受信装置の構成の一例を示す図である。実施の形態２に係る受信装置と同じ構成要素については同一の符号を付し、その説明を省略する。
【００７５】
図５において、受信装置３００は、図４の受信装置２００の構成において、ＲＦ回路１２１−１に代えてＲＦ回路３０１〜３０３を、ＲＦ回路１２１−２に代えてＲＦ回路３０４，３０５を、ＲＦ回路１２１−３に代えてＲＦ回路３０６，３０７を備え、スイッチ３１０−１〜３１０−７をさらに備え、スイッチ１４４〜１４６に代えて複合スイッチ３２０を備えている。
【００７６】
ＲＦ回路３０１〜３０３は、受信用アンテナ１１０からのＲＦ信号に無線信号処理をして、ミキサ１２４−１及びミキサ１２５−１に出力する。同様に、ＲＦ回路３０４，３０５は、受信用アンテナ１１０からのＲＦ信号に無線信号処理をして、ミキサ１２４−２及びミキサ１２５−２に出力し、ＲＦ回路３０６，３０７は、受信用アンテナ１１０からのＲＦ信号に無線信号処理をして、ミキサ１２４−３及びミキサ１２５−３に出力する。ＲＦ回路３０１〜３０７は、受信するＲＦ信号の周波数帯に対応した特性に最適化されたものである。
【００７７】
スイッチ３１０−１〜３１０−７は、制御部（図示せず）によりオン／オフ制御され、ＲＦ回路３０１〜３０７で無線信号処理されたＲＦ信号のミキサ１２４−１〜１２４−３及びミキサ１２５−１〜１２５−３への経路３２１〜３２７をそれぞれ遮断可能である。特に、スイッチ３１０−１〜３１０−３は、ＲＦ回路３０１〜３０３で無線信号処理されたＲＦ信号のミキサ１２４−１及びミキサ１２５−１への経路３２１〜３２３をそれぞれ遮断する。同様に、スイッチ３１０−４〜３１０−５は、ＲＦ回路３０４，３０５で無線信号処理されたＲＦ信号のミキサ１２４−２及びミキサ１２５−２への経路３２４，３２５をそれぞれ遮断し、スイッチ３１０−６〜３１０−７は、ＲＦ回路３０６，３０７で無線信号処理されたＲＦ信号のミキサ１２４−３及びミキサ１２５−３への経路３２６，３２７をそれぞれ遮断する。
【００７８】
複合スイッチ３２０は、制御部（図示せず）によりオン／オフ制御され、経路１５１〜１５３を通過した発振信号の復調器１２２−１〜１２２−３への経路３３１〜３３３をそれぞれ切替える。
【００７９】
以下、上記のように構成された受信装置３００の動作について詳細に説明する。
【００８０】
本実施の形態では、スイッチ３１０−１〜３１０−７を用いて、無線信号処理されたＲＦ信号のミキサ１２４−１〜１２４−３及び１２５−１〜１２５−３への経路３２１〜３２７を順次遮断して、各復調器でＲＦ信号を復調する。
【００８１】
また、複合スイッチ３２０で、経路１５１〜１５３を通過した発振信号の復調器１２２−１〜１２２−３への経路３３１〜３３３をそれぞれ切替えることにより、複数の復調器で、同一周波数帯のＲＦ信号を復調することができる。
【００８２】
ＲＦ回路３０１〜３０７では、受信用アンテナ１１０からのＲＦ信号に無線信号処理をする。ＲＦ回路３０１〜３０３で無線信号処理されたＲＦ信号のうち１つのＲＦ信号は、経路３２１〜３２３のいずれかを経由してミキサ１２４−１及びミキサ１２５−１に出力される。同様に、ＲＦ回路３０４，３０５で無線信号処理されたＲＦ信号のうち１つのＲＦ信号は、経路３２４，３２５のいずれかを経由してミキサ１２４−２及びミキサ１２５−２に出力され、ＲＦ回路３０６，３０７で無線信号処理されたＲＦ信号のうちの１つのＲＦ信号は、経路３２６，３２７のいずれかを経由してミキサ１２４−３及びミキサ１２５−３に出力される。
【００８３】
すなわち、ＲＦ回路３０１〜３０３からのＲＦ信号は、スイッチ３１０−１〜３１０−３をオン／オフ状態を切替えて常にそのうちの２つを遮断することにより、経路３２１〜３２３の１つを経由してミキサ１２４−１及びミキサ１２５−１に入力し、ダイバーシチ受信される。同様に、ＲＦ回路３０４，３０５からのＲＦ信号は、スイッチ３１０−４〜３１０−５のオン／オフ状態を切替えて常にそのうちの１つを遮断することにより、経路３２４〜３２５の１つを経由してミキサ１２４−２及びミキサ１２５−２に入力し、ダイバーシチ受信され、ＲＦ回路３０６，３０７からのＲＦ信号は、スイッチ３１０−６〜３１０−７のオン／オフ状態を切替えて常にそのうちの１つを遮断することにより、経路３２６〜３２７の１つを経由してミキサ１２４−３及びミキサ１２５−３に入力し、ダイバーシチ受信される。
【００８４】
一方、経路１５１〜１５３を通過した発振信号は、複合スイッチ３２０により、その経路を、復調器１２２−１〜１２２−３への経路３３１〜３３３のいずれかに切替えられる。
【００８５】
例えば、経路１５１を通過した発振信号を、経路３３１と経路３３２とに供給し、経路１５２を通過した発振信号を、経路３３３に供給することができる。この例では、復調器１２２−１及び復調器１２２−２で、同一周波数帯のＲＦ信号を復調することができる。また、経路１５１を通過した発振信号を、経路３３１〜３３３に供給することにより、復調器１２２−１〜１２２−３で、同一周波数帯のＲＦ信号を復調することもできる。
【００８６】
このように、本実施の形態では、実施の形態１及び実施の形態２の効果に加えて、各復調器に対してＲＦ回路を複数設け、ＲＦ信号の経路を遮断するスイッチを制御して、常に、複数のＲＦ回路のうちの１つから復調器にＲＦ信号を供給しているので、ＲＦ信号をダイバーシチ受信することができる。受信機能の選択により最適な復調を行うことができ、消費電流の増大を抑制することができる。また、複合スイッチにより、複数の復調器に同一周波数帯の発振信号を入力するため、複数の復調器で同一周波数帯のＲＦ信号を復調することができる。
【００８７】
なお、上記各実施の形態では、各復調器に対して、１つ、２つ又は３つのＲＦ回路を設けるようにしたが、本発明はこれに限定されない。例えば、４つ以上のＲＦ回路を復調器に対して設けるようにしても勿論よい。
【００８８】
また、本発明は、ＷＣＤＭＡ方式の移動無線機への適用のみならず、他の通信方式を用いた移動無線機への適用も可能である。
【産業上の利用可能性】
【００８９】
本発明に係る受信装置及び受信方法は、同時に受信可能な周波数帯の数よりも相対的に少ない発振器を用いた回路で、複数の異なる周波数帯の同時受信を実現することができ、受信する各周波数帯のチャネルを任意に選択して設定することができる効果を有し、ＷＣＤＭＡ方式に代表される通信方式を採用した移動無線機に適用する受信装置及び受信方法として有用である。
【図面の簡単な説明】
【００９０】
【図１】本発明の実施の形態１に係る受信装置の構成の一例を示す図
【図２】実施の形態１のスイッチを用いた発振信号の経路の切替の一例を示す図
【図３】実施の形態１の６分周器を２分周器と３分周器との組み合わせにより実現した例を示す図
【図４】本発明の実施の形態２に係る受信装置の構成の一例を示す図
【図５】本発明の実施の形態３に係る受信装置の構成の一例を示す図
【図６】従来の受信装置の構成の一例を示す図
【図７】従来の送受信器の構成の一例を示す図
【符号の説明】
【００９１】
１００、２００、３００  受信装置
１１０  受信用アンテナ
１１１  低雑音増幅器（ＬＮＡ）
１２０  復調回路
１２１−１〜１２１−３、３０１〜３０７  ＲＦ回路
１２２−１〜１２２−３  復調器
１２３−１〜１２３−３、１３９、１６０  ２分周器
１２４−１〜１２４−３、１２５−１〜１２５−３、１３５、１３６  ミキサ
１３１  第１発振器
１３２  第２発振器
１３３  ８分周器
１３４  ６分周器
１３７、１３８  フィルタ
１４１〜１４８、２０１、３１０−１〜３１０−７  スイッチ
１６１  ３分周器
２０２  Ｎ分周器
２０３  Ｍ分周器
２０４  Ｋ分周器
３２０  複合スイッチ
【図１】
2007150591.tif 000003
【図２】
2007150591.tif 000004
【図３】
2007150591.tif 000005
【図４】
2007150591.tif 000006
【図５】
2007150591.tif 000007
【図６】
2007150591.tif 000008
【図７】
2007150591.tif 000009